(57)【要約】【課題】放送中の番組に対応するアプリケーションソフトを、ユーザに効果的に活用させることが可能な表示装置を提供する。【解決手段】このテレビジョン装置１００は、放送中の番組に対応するアプリケーションソフトに関するアプリケーション情報を含む放送信号を受信する放送受信部３と、放送受信部３が新たにアプリケーション情報を受信した場合に、同一または同種のアプリケーションソフトの過去の通知表示の回数に基づいて、新たに受信したアプリケーション情報に対応したアプリケーションソフトの通知表示を行うか否かを判断する制御を行うように構成されているＣＰＵ１とを備える。【選択図】図１
2015139035.tif 000002
【特許請求の範囲】
【請求項１】
画像を表示する表示部と、
放送中の番組に対応するアプリケーションソフトに関するアプリケーション情報を含む放送信号を受信する受信部と、
前記受信部が前記アプリケーション情報を受信した場合に、前記表示部に前記アプリケーション情報に対応する前記アプリケーションソフトの通知表示を表示させる制御を行う制御部とを備え、
前記制御部は、前記受信部が新たに前記アプリケーション情報を受信した場合に、同一または同種の前記アプリケーションソフトの過去の前記通知表示の回数に基づいて、新たに受信した前記アプリケーション情報に対応した前記アプリケーションソフトの通知表示を行うか否かを判断する制御を行うように構成されている、表示装置。
【請求項２】
前記制御部は、受信した前記アプリケーション情報に対応した前記アプリケーションソフトを、ネットワークを介して、ダウンロードするとともに、前記アプリケーションソフトをダウンロードした状態で、前記表示部に前記アプリケーションソフトの通知表示を表示する制御を行うように構成されている、請求項１に記載の表示装置。
【請求項３】
前記制御部は、前記通知表示の回数が通知回数しきい値未満の場合は、新たに受信した前記アプリケーション情報に対応する前記アプリケーションソフトをダウンロードする制御を行うように構成されている、請求項２に記載の表示装置。
【請求項４】
前記制御部は、前記通知表示の回数が前記通知回数しきい値以上で、かつ、同一または同種の前記アプリケーションソフトの過去の起動回数が第１起動回数しきい値未満の場合は、新たに受信した前記アプリケーション情報に対応する前記アプリケーションソフトをダウンロードしない制御を行うように構成されている、請求項２または３に記載の表示装置。
【請求項５】
前記制御部は、前記通知表示の回数が０回の場合には、新たに受信した前記アプリケーション情報に対応する前記アプリケーションソフトをダウンロードする制御を行うとともに、前記アプリケーションソフトが初めてダウンロードされた新しいものであることを示す表示を、前記通知表示とともに前記表示部に表示する制御を行うように構成されている、請求項２〜４のいずれか１項に記載の表示装置。
【請求項６】
前記制御部は、前記通知表示の回数に対する前記起動回数の割合が、所定の割合以上である場合は、新たに受信した前記アプリケーション情報に対応する前記アプリケーションソフトがユーザのお気に入りの前記アプリケーションソフトであることを示す表示を、前記通知表示とともに前記表示部に表示する制御を行うように構成されている、請求項２〜５のいずれか１項に記載の表示装置。
【請求項７】
前記制御部は、前記起動回数が第２起動回数しきい値以上である場合は、新たに受信した前記アプリケーション情報に対応する前記アプリケーションソフトをダウンロードする制御を行うとともに、前記アプリケーションソフトがユーザのお気に入りの前記アプリケーションソフトであることを示す表示を、前記通知表示とともに前記表示部に表示する制御を行うように構成されている、請求項２〜５のいずれか１項に記載の表示装置。
【請求項８】
同一または同種の前記アプリケーションソフトの過去の前記通知表示の回数の情報と、同一または同種の前記アプリケーションソフトの第１識別情報とを含む、アプリケーションリストを格納する記憶部をさらに備え、
前記制御部は、前記受信部が新たに前記アプリケーション情報を受信した場合に、前記アプリケーションリストに基づいて、新たに受信した前記アプリケーション情報に対応した前記アプリケーションソフトの通知表示を行うか否かを判断する制御を行うように構成されている、請求項１〜７のいずれか１項に記載の表示装置。
【請求項９】
新たに受信した前記アプリケーション情報は、前記放送中の番組に対応する前記アプリケーションソフトの第２識別情報を含み、
前記制御部は、前記受信部が新たに前記アプリケーション情報を受信した場合に、前記第１識別情報と前記第２識別情報との比較に基づいて、同一または同種の前記アプリケーションソフトの過去の前記通知表示の回数の情報を前記記憶部から読み出すとともに、読み出した前記通知表示の回数に基づいて、新たに受信した前記アプリケーション情報に対応した前記アプリケーションソフトの通知表示を行うか否かを判断する制御を行うように構成されている、請求項８に記載の表示装置。
【請求項１０】
前記第１識別情報は、過去にダウンロードした前記アプリケーションソフトの第１タイトル情報を含み、
前記第２識別情報は、前記放送中の番組に対応する前記アプリケーションソフトの第２タイトル情報を含み、
前記制御部は、前記第１タイトル情報と前記第２タイトル情報との比較に基づいて、同種の前記アプリケーションソフトの過去の前記通知表示の回数の情報を前記記憶部から読み出すとともに、読み出した前記通知表示の回数に基づいて、新たに受信した前記アプリケーション情報に対応した前記アプリケーションソフトの通知表示を行うか否かを判断する制御を行うように構成されている、請求項９に記載の表示装置。
【発明の詳細な説明】
【技術分野】
【０００１】
この発明は、表示装置に関し、特に、アプリケーションソフトに関する情報を含む放送信号を受信する受信部を備えた表示装置に関する。
【背景技術】
【０００２】
従来、アプリケーションソフトに関する情報を含む放送信号を受信する受信部を備えた表示装置が知られている（たとえば、特許文献１参照）。
【０００３】
上記特許文献１には、アプリケーション情報テーブルを含んだ放送信号を受信する受信部を備えた受信機が開示されている。この受信機では、アプリケーション情報テーブルからアプリケーションに関する情報を取り出し、アプリケーションリストを作成するアプリケーションリスト管理部と、ユーザの所定の操作に基づいて、アプリケーションリストを表示させる表示部とを備える。これにより、表示部に表示させたアプリケーションリストに基づいて、ユーザがさらに操作を行うことによりアプリケーションソフトを起動することが可能に構成されている。
【先行技術文献】
【特許文献】
【０００４】
【特許文献１】特開２０１３−９３３０号公報
【発明の概要】
【発明が解決しようとする課題】
【０００５】
しかしながら、上記特許文献１の受信機では、ユーザが所定の操作を行って初めて、アプリケーションリストが表示されることによって、受信機が取得したアプリケーションソフトの存在を、ユーザが確認可能なように構成されている。すなわち、ユーザの所定の操作により、アプリケーションリストが表示されるまで、ユーザは、アプリケーション情報に対応するアプリケーションソフトの存在を視認することができないという不都合があると考えられる。このため、ユーザは、放送中の番組に対応するアプリケーションソフトを効果的に活用しにくいという問題点があると考えられる。
【０００６】
この発明は、上記のような課題を解決するためになされたものであり、この発明の１つの目的は、放送中の番組に対応するアプリケーションソフトを、ユーザに効果的に活用させることが可能な表示装置を提供することである。
【課題を解決するための手段】
【０００７】
上記目的を達成するために、この発明の一の局面による表示装置は、画像を表示する表示部と、放送中の番組に対応するアプリケーションソフトに関するアプリケーション情報を含む放送信号を受信する受信部と、受信部がアプリケーション情報を受信した場合に、表示部にアプリケーション情報に対応するアプリケーションソフトの通知表示を表示させる制御を行う制御部とを備え、制御部は、受信部が新たにアプリケーション情報を受信した場合に、同一または同種のアプリケーションソフトの過去の通知表示の回数に基づいて、新たに受信したアプリケーション情報に対応したアプリケーションソフトの通知表示を行うか否かを判断する制御を行うように構成されている。
【０００８】
この発明の一の局面による表示装置では、上記のように、制御部を、受信部が新たにアプリケーション情報を受信した場合に、表示部にアプリケーション情報に対応するアプリケーションソフトの通知表示を表示させる制御を行うように構成することによって、新たにアプリケーション情報を受信すれば表示部に通知表示が表示されるので、アプリケーション情報に対応するアプリケーションソフトの存在を、ユーザによる操作を必要としないで、ユーザに視認させることができる。これにより、放送中の番組に対応するアプリケーションソフトをユーザに効果的に活用させることができる。また、制御部を、過去の通知表示の回数に基づいて、新たに受信したアプリケーション情報に対応したアプリケーションソフトの通知表示を行うか否かを判断するように構成することによって、過去の通知表示の回数に基づいて、不要な通知表示を表示部に表示しないように構成することができるので、不要な通知表示が行われない分、ユーザが視聴中の番組の表示が阻害されることを抑制することができる。
【０００９】
上記一の局面による表示装置において、好ましくは、制御部は、受信したアプリケーション情報に対応したアプリケーションソフトを、ネットワークを介して、ダウンロードするとともに、アプリケーションソフトをダウンロードした状態で、表示部にアプリケーションソフトの通知表示を表示する制御を行うように構成されている。このように構成すれば、新たにアプリケーションソフトがダウンロードされた状態で、アプリケーションソフトの存在をユーザに通知することができる。これにより、ユーザはアプリケーションソフトを視認後、すぐにアプリケーションソフトを起動して使用することができるので、この点でも、放送中の番組に対応するアプリケーションソフトをユーザに効果的に活用させることができる。
【００１０】
この場合、好ましくは、制御部は、通知表示の回数が通知回数しきい値未満の場合は、新たに受信したアプリケーション情報に対応するアプリケーションソフトをダウンロードする制御を行うように構成されている。ここで、通知表示の回数が少ないアプリケーションソフトは、ユーザにとって必要なアプリケーションソフトであるか否かが定まっていない場合が多い。そこで、本発明では、上記のように、通知表示された回数が通知回数しきい値よりも少ないアプリケーションソフトをダウンロードすることにより、ユーザにとって必要である可能性のあるアプリケーションソフトがダウンロードされないことを抑制することができる。
【００１１】
上記受信したアプリケーション情報に対応したアプリケーションソフトをダウンロードする制御部を備える表示装置において、好ましくは、制御部は、通知表示の回数が通知回数しきい値以上で、かつ、同一または同種のアプリケーションソフトの過去の起動回数が第１起動回数しきい値未満の場合は、新たに受信したアプリケーション情報に対応するアプリケーションソフトをダウンロードしない制御を行うように構成されている。ここで、通知表示の回数が多く、かつ、起動回数が少ないアプリケーションソフトは、一般的にユーザにとって必要ではないアプリケーションソフトである可能性が高いと考えられる。そこで、本発明では、上記のように、ユーザにとって必要ではないアプリケーションソフトがダウンロードされることが抑制されるので、不用なアプリケーションソフトがダウンロードされない分、制御部の負荷の増大を抑制することができる。
【００１２】
上記受信したアプリケーション情報に対応したアプリケーションソフトをダウンロードする制御部を備える表示装置において、好ましくは、制御部は、通知表示の回数が０回の場合には、新たに受信したアプリケーション情報に対応するアプリケーションソフトをダウンロードする制御を行うとともに、アプリケーションソフトが初めてダウンロードされた新しいものであることを示す表示を、通知表示とともに表示部に表示する制御を行うように構成されている。このように構成すれば、通知表示されたアプリケーションソフトが新しいアプリケーションソフトであることを、ユーザに視認させることができる。
【００１３】
上記受信したアプリケーション情報に対応したアプリケーションソフトをダウンロードする制御部を備える表示装置において、好ましくは、制御部は、通知表示の回数に対する起動回数の割合が、所定の割合以上である場合は、新たに受信したアプリケーション情報に対応するアプリケーションソフトがユーザのお気に入りのアプリケーションソフトであることを示す表示を、通知表示とともに表示部に表示する制御を行うように構成されている。このように構成すれば、通知表示されたアプリケーションソフトがユーザのお気に入りのアプリケーションソフトであることを、ユーザに視認させることができる。
【００１４】
上記受信したアプリケーション情報に対応したアプリケーションソフトをダウンロードする制御部を備える表示装置において、好ましくは、制御部は、起動回数が第２起動回数しきい値以上である場合は、新たに受信したアプリケーション情報に対応するアプリケーションソフトをダウンロードする制御を行うとともに、アプリケーションソフトがユーザのお気に入りのアプリケーションソフトであることを示す表示を、通知表示とともに表示部に表示する制御を行うように構成されている。このように構成すれば、通知表示されたアプリケーションソフトがユーザのお気に入りのアプリケーションソフトであることを、より確実に、ユーザに視認させることができる。
【００１５】
上記一の局面による表示装置において、好ましくは、同一または同種のアプリケーションソフトの過去の通知表示の回数の情報と、同一または同種のアプリケーションソフトの第１識別情報とを含む、アプリケーションリストを格納する記憶部をさらに備え、制御部は、受信部が新たにアプリケーション情報を受信した場合に、アプリケーションリストに基づいて、新たに受信したアプリケーション情報に対応したアプリケーションソフトの通知表示を行うか否かを判断する制御を行うように構成されている。このように構成すれば、アプリケーションリストを使用することによって、容易に、新たに受信したアプリケーション情報に対応したアプリケーションソフトの通知を行うか否かを制御部により判断することができる。
【００１６】
この場合、好ましくは、新たに受信したアプリケーション情報は、放送中の番組に対応するアプリケーションソフトの第２識別情報を含み、制御部は、受信部が新たにアプリケーション情報を受信した場合に、第１識別情報と第２識別情報との比較に基づいて、同一または同種のアプリケーションソフトの過去の通知表示の回数の情報を記憶部から読み出すとともに、読み出した通知表示の回数に基づいて、新たに受信したアプリケーション情報に対応したアプリケーションソフトの通知表示を行うか否かを判断する制御を行うように構成されている。このように構成すれば、第１識別情報と第２識別情報とを比較することによって、容易に、記憶部に格納されている通知表示の回数の情報のうちから、放送中の番組に対応する新たに受信したアプリケーション情報に対応した同一または同種のアプリケーションソフトの過去の通知表示の回数の情報を読み出すことができる。
【００１７】
上記第１識別情報と第２識別情報との比較に基づいて過去の通知表示の回数の情報を記憶部から読み出す制御部を備える表示装置において、好ましくは、第１識別情報は、過去にダウンロードしたアプリケーションソフトの第１タイトル情報を含み、第２識別情報は、放送中の番組に対応するアプリケーションソフトの第２タイトル情報を含み、制御部は、第１タイトル情報と第２タイトル情報との比較に基づいて、同種のアプリケーションソフトの過去の通知表示の回数の情報を記憶部から読み出すとともに、読み出した通知表示の回数に基づいて、新たに受信したアプリケーション情報に対応したアプリケーションソフトの通知表示を行うか否かを判断する制御を行うように構成されている。このように構成すれば、同一のアプリケーションソフトの過去の通知表示の回数が記憶されていない場合でも、同種のアプリケーションソフトの過去の通知表示の回数に基づいて、同種のアプリケーションソフトの通知表示を表示部に表示するか否かを容易に制御部により判断することができる。
【発明の効果】
【００１８】
本発明によれば、上記のように、放送中の番組に対応するアプリケーションソフトを、ユーザに効果的に活用させることができる。
【図面の簡単な説明】
【００１９】
【図１】本発明の第１実施形態によるテレビジョン装置の全体構成を示したブロック図である。
【図２】本発明の第１実施形態による新たなＡＩＴを受信する以前のアプリケーションリストを示した図である。
【図３】本発明の第１実施形態による新たなＡＩＴに対応するアプリケーションソフトをダウンロード中の状態のアプリケーションリストを示した図である。
【図４】本発明の第１実施形態による新たなＡＩＴに対応するアプリケーションソフトをダウンロード後のアプリケーションリストを示した図である。
【図５】本発明の第１実施形態によるアプリケーションソフトの通知表示を説明するための図である。
【図６】本発明の第１実施形態によるアプリケーションソフトの通知表示の設定画面を示した図である。
【図７】本発明の第１実施形態によるテレビジョン装置のアプリケーションソフトのダウンロードおよび通知表示処理を説明するためのフローチャート（１）である。
【図８】本発明の第１実施形態によるテレビジョン装置のアプリケーションソフトのダウンロードおよび通知表示処理を説明するためのフローチャート（２）である。
【図９】本発明の第２実施形態による通知回数しきい値およびお気に入り表示設定画面を説明するための図である。
【図１０】本発明の第２実施形態によるテレビジョン装置のアプリケーションソフトのダウンロードおよび通知表示処理を説明するためのフローチャートである。
【図１１】本発明の第３実施形態によるテレビジョン装置のアプリケーションソフトのダウンロードおよび通知表示処理を説明するためのフローチャートである。
【発明を実施するための形態】
【００２０】
以下、本発明の実施形態を図面に基づいて説明する。
【００２１】
（第１実施形態）
図１を参照して、本発明の第１実施形態によるテレビジョン装置１００構成について説明する。
【００２２】
第１実施形態によるテレビジョン装置１００は、図１に示すように、ＣＰＵ（Ｃｅｎｔｒａｌ  Ｐｒｏｃｅｓｓｉｎｇ  Ｕｎｉｔ）１と、表示部２と、放送受信部３と、復調部４と、メモリ５と、通信部６と、ＲＡＭ（Ｒａｎｄｏｍ  Ａｃｃｅｓｓ  Ｍｅｍｏｒｙ）７と、操作受信部８と、ＯＳＤ（Ｏｎ  Ｓｃｒｅｅｎ  Ｄｉｓｐｌａｙ）部９と、信号分離部１０と、アプリケーション情報信号処理部１１と、画像信号処理部１２と、リモコン１３とを含む。なお、ＣＰＵ１は、本発明の「制御部」の一例である。また、放送受信部３は、本発明の「受信部」の一例である。また、メモリ５は、本発明の「記憶部」の一例である。
【００２３】
図１に示すように、通信部６は、無線ＬＡＮ（Ｌｏｃａｌ  Ａｒｅａ  Ｎｅｔｗｏｒｋ）等によって、インターネット１４に接続可能に構成されており、インターネット１４を介して、各放送事業者またはアプリケーションソフト制作業者等が保有するサーバ（図示せず）との信号の送受信、および、サーバからアプリケーションソフトの取得を行うことが可能に構成されている。なお、インターネット１４は、本発明の「ネットワーク」の一例である。
【００２４】
また、図１に示すように、放送受信部３は、受信アンテナ３ａおよび受信チューナ（図示せず）を有し、受信アンテナ３ａは、各放送事業者から配信されるテレビジョン放送波を受信するように構成されている。また、受信チューナは、所定の伝送チャンネルを選局して放送事業者毎のテレビジョン放送波を受信するように構成されている。放送信号テレビジョン放送波は、ＡＩＴ（Ａｐｐｌｉｃａｔｉｏｎ  Ｉｎｆｏｒｍａｔｉｏｎ  Ｔａｂｌｅ）の信号を含む。そして、ＡＩＴは、放送中の番組に対応したアプリケーションソフトに関する情報である、アプリケーションＩＤ（Ｉｄｅｎｔｉｆｉｃａｔｉｏｎ）情報、タイトル情報、ＵＲＬ（Ｕｎｉｆｏｒｍ  Ｒｅｓｏｕｒｃｅ  Ｌｏｃａｔｏｒ）情報等を含む。なお、ＡＩＴは、本発明の「アプリケーション情報」の一例である。また、アプリケーションＩＤ情報、タイトル情報、ＵＲＬ情報は、本発明の「第２識別情報」の一例である。
【００２５】
そして、図１に示すように、復調部４は、復調回路等を含み、放送受信部３により受信されたテレビジョン放送波の誤り訂正を行うとともに、ＴＳ（Ｔｒａｎｓｐｏｒｔ  Ｓｔｒｅａｍ）信号とＡＩＴの信号とに復調するように構成されている。また、復調されたＴＳ信号とＡＩＴの信号とは、信号分離部１０によって分離された後、ＴＳ信号は、画像信号処理部１２に伝送されるとともに、ＡＩＴの信号は、アプリケーション情報処理部１１に伝送されるように構成されている。画像信号処理部１２は、復号部を含み、ＴＳ信号を画像信号に復号化（デコード）して、液晶パネル等を含む表示部２に復号化された画像信号を出力し、表示させるように構成されている。
【００２６】
また、図１に示すように、ＯＳＤ部９は、ＣＰＵ１の指令に基づいて、後述するアプリケーションの通知表示（図５参照）またはアプリケーション通知表示の設定画面（図６参照）等の画像データを出力するように構成されている。
【００２７】
また、図１に示すように、ＲＡＭ７は、ＣＰＵ１の処理動作に伴うデータ、および、表示部２に表示するための画像等を、一時的に格納するように構成されている。また、リモコン１３は、ユーザの操作を受け付けるように構成されている。そして、リモコン１３は、発光素子等を含み、受け付けたユーザの操作情報を、発光素子から赤外光を用いて、操作受信部８に送信するように構成されている。そして、操作受信部８は、受光素子等を含み、受光素子は、リモコン１３から発光された赤外光を受光して、ユーザの操作情報を取得するように構成されている。そして、操作受信部８は、取得したユーザの操作情報をＣＰＵ１に伝送するように構成されている。
【００２８】
ここで、第１実施形態では、図２に示すように、メモリ５には、アプリケーションリストが格納されている。アプリケーションリストは、過去または新たに取得したＡＩＴの情報を含み、アプリケーションソフトごとに、アプリケーションＩＤ、ＵＲＬ、過去の通知表示の回数の情報、過去の起動回数の情報と、タイトル情報、起動状態の情報、ダウンロード進捗状態の情報、通知表示の設定情報、通知表示中であるか否かを表す通知状態の情報等を含む。なお、アプリケーションＩＤおよびタイトル情報は、本発明の「第１識別情報」の一例である。
【００２９】
また、図１に示すように、放送受信部３が新たにＡＩＴを受信した後に、アプリケーション情報信号処理部１１にＡＩＴが伝送された後、ＣＰＵ１は、メモリ５からアプリケーションリスト（図２参照）を読み出すとともに、アプリケーションリストに含まれるアプリケーションＩＤのうちからＡＩＴに含まれるアプリケーションＩＤと同一のアプリケーションソフトがあるか否かを判断するように構成されている。
【００３０】
たとえば、ＡＩＴに、放送中の番組「ＡＡＡ」に対応するアプリケーションソフトの情報である、アプリケーションＩＤ「０１０」のアプリケーションソフトの情報と、アプリケーションＩＤ「０２５」のアプリケーションソフトの情報と、アプリケーションＩＤ「１０１」のアプリケーションソフトの情報と、アプリケーションＩＤ「１１５」のアプリケーションソフトの情報とが含まれる場合で、かつ、メモリ５から読み出されたアプリケーションリスト（図２参照）に含まれるアプリケーションＩＤが「０２５」、「１０１」、「１１５」、「２０５」の場合には、ＣＰＵ１は、ＡＩＴに含まれるアプリケーションＩＤ「０２５」と、「１０１」と、「１１５」とのアプリケーションソフトがアプリケーションリストにあると判断する。一方、ＣＰＵ１は、ＡＩＴに含まれるアプリケーションＩＤ「０１０」のアプリケーションソフトがアプリケーションリストにないと判断する。
【００３１】
また、図２に示すように、アプリケーションリストには、過去に受信した番組「ＡＡＡ」以外の番組である番組「ＢＢＢ」のアプリケーションソフト「ＢＢＢ占い」などの情報も含む。
【００３２】
そして、第１実施形態では、ＣＰＵ１は、放送受信部３が新たにＡＩＴを受信した場合に、表示部２に新たに受信したＡＩＴに対応するアプリケーションソフトの通知表示を表示させる制御を行うように構成されている。また、図３に示すように、ＣＰＵ１は、アプリケーションリストにないアプリケーションＩＤ「０１０」のアプリケーションソフトの情報をアプリケーションリストに追加する制御を行うように構成されている。
【００３３】
そして、第１実施形態では、図３に示すように、ＣＰＵ１は、通知表示の回数が通知回数しきい値以上で、かつ、同一のアプリケーションソフトの過去の起動回数が第１起動回数しきい値未満の場合は、新たに受信したＡＩＴに対応するアプリケーションソフトをダウンロードしない制御を行うように構成されている。たとえば、ＣＰＵ１は、通知回数しきい値が２０回および第１起動回数しきい値が２回として設定されている場合には、アプリケーションＩＤ「１１５」のアプリケーションソフトは、通知表示の回数が２０回および起動回数が０回であるため、ダウンロードしない制御を行う。
【００３４】
また、図３に示すように、ＣＰＵ１は、アプリケーションソフトをダウンロードする制御を行う際に、すでにダウンロードされている同一のアプリケーションソフトがメモリ５に記憶されている場合には、ダウンロードしない制御を行うように構成されている。たとえば、ＣＰＵ１は、上記したアプリケーションＩＤ「０１０」と「０２５」と「１０１」とのアプリケーションソフトのうち、アプリケーションＩＤ「０２５」と「１０１」とのアプリケーションソフトは、すでにダウンロードされているので、ダウンロードしない制御を行う。
【００３５】
ここで、第１実施形態では、図３に示すように、ＣＰＵ１は、通知表示の回数が通知回数しきい値未満の場合は、新たに受信したＡＩＴに対応するアプリケーションソフトをダウンロードする制御を行うように構成されているとともに、図４および図５に示すように、ＣＰＵ１は、表示部２にアプリケーションソフトの通知表示を表示する制御を行うように構成されている。すなわち、図３に示すように、ＣＰＵ１は、アプリケーションＩＤ「０１０」のアプリケーションソフトをダウンロードする制御を行うように構成されている。また、ＵＲＬ情報は、ＨＴＴＰ（Ｈｙｐｅｒｔｅｘｔ  Ｔｒａｎｓｆｅｒ  Ｐｒｏｔｏｃｏｌ）を用いた情報として記述されている。ＣＰＵ１は、通信部６およびインターネット１４を介して、ＵＲＬ情報に基づいて、外部のサーバ（図示せず）からアプリケーションＩＤ「０１０」のアプリケーションソフトをダウンロードする制御を行うように構成されている。
【００３６】
そして、ＣＰＵ１は、アプリケーションＩＤ「０１０」のアプリケーションソフトのダウンロード完了後（図４参照）に、表示部２にアプリケーションソフトの通知表示（図５の符号Ａ）を表示する制御を行うように構成されている。
【００３７】
また、第１実施形態では、図５に示すように、ＣＰＵ１は、通知表示の回数が０回の場合には、新たに受信したＡＩＴに対応するアプリケーションソフトをダウンロードする制御を行うとともに、アプリケーションソフトが初めてダウンロードされた新しいものであることを示す表示を、通知表示とともに表示部２に表示する制御を行うように構成されている。具体的には、図３に示すように、アプリケーションＩＤ「０１０」のアプリケーションソフトは、過去の通知表示の回数が０回であり、初めてダウンロードされた新しいものであるので、ＣＰＵ１は、アプリケーションＩＤ「０１０」のアプリケーションソフトのダウンロード完了後（図４参照）に、表示部２にアプリケーションソフトの通知表示（図５の符号Ａ）を表示するとともに、アプリケーションソフトが初めてダウンロードされた新しいものであることを示す表示（図５の符号Ｂのように、たとえば「Ｎｅｗ！」等）を表示する制御を行うように構成されている。
【００３８】
また、第１実施形態では、図５に示すように、ＣＰＵ１は、通知表示の回数に対する起動回数の割合が、所定の割合以上である場合は、新たに受信したＡＩＴに対応するアプリケーションソフトがユーザのお気に入りのアプリケーションソフトであることを示す表示を、通知表示とともに表示部２に表示する制御を行うように構成されている。具体的にはＣＰＵ１は、上記所定の割合が、０．５として設定している場合には、図４に示すように、アプリケーションＩＤ「０２５」のアプリケーションソフトは、過去の通知表示の回数が２５回であり、過去の起動回数が２０回であるので、通知表示の回数に対する起動回数の割合は、０．８（＝２０／２５）であり、所定の割合（０．５）以上である。そして、ＣＰＵ１は、表示部２にアプリケーションソフトの通知表示（図５の符号Ｃ）を表示するとともに、ユーザのお気に入りのアプリケーションソフトであることを示す表示（図５の符号Ｄのように、たとえば星印等）を表示する制御を行うように構成されている。
【００３９】
また、ＣＰＵ１は、アプリケーションソフトを実行するためのプログラムおよび実行部を含むＡＰＩ（Ａｐｐｌｉｃａｔｉｏｎ  Ｐｒｏｇｒａｍｍｉｎｇ  Ｉｎｔｅｒｆａｃｅ）を含む。たとえば、図４に示すように、アプリケーションＩＤ「１０１」のアプリケーションソフトを起動する場合には、図５に示すように、ＣＰＵ１は、メモリ５からアプリケーションＩＤ「１０１」のアプリケーションソフト（ＡＡＡ天気予報）のデータを読み出し、アプリケーションＩＤ「１０１」のアプリケーションソフトを実行する。そして、ＣＰＵ１は、アプリケーションＩＤ「１０１」のアプリケーションソフトの画像データをＯＳＤ部９に伝送し、ＯＳＤ部９から画像信号処理部１２に画像データが伝送するように構成されている。画像信号処理部１２は、上記した信号分離部１０から取得した放送中の番組の画像データとアプリケーションソフトの画像データとを合成し、表示部２に合成された画像データを伝送するように構成されている。表示部２は、合成された画像データを表示するように構成されている。図５に示すように、ＣＰＵ１は、表示部２に、放送中の番組の画像（図５の符号Ｅ）を表示させるとともに、起動中のアプリケーションＩＤ「１０１」のアプリケーションソフトの画像（図５の符号Ｆ）が表示させるように構成されている。
【００４０】
また、図６に示すように、ＣＰＵ１は、ユーザの操作に基づいて、通知表示の回数および起動回数に関わらず、各アプリケーションソフトの通知表示を行うか否かを設定するように構成されている。具体的には、ＣＰＵ１は、ＯＳＤ部９を介して、表示部２に、アプリケーションソフトの通知表示の設定画面（図６参照）を表示するように構成されている。そして、ＣＰＵ１は、アプリケーションソフトの通知表示の設定画面（図６参照）に基づいたユーザのリモコン１３の操作信号を取得する。そして、ＣＰＵ１は、取得した操作信号に基づいて、各アプリケーションソフトの通知表示を行うか否かを設定するように構成されている。
【００４１】
次に、図７および図８を参照して、第１実施形態によるテレビジョン装置１００のアプリケーションソフトのダウンロードおよびアップロード制御処理フローについて説明する。テレビジョン装置１００における処理は、ＣＰＵ１により行われる。
【００４２】
まず、図７に示すように、ステップＳ１において、ＡＩＴを受信したか否かが判断される。ＡＩＴを受信するまでこの判断は繰り返され、ＡＩＴを受信した場合には、ステップＳ２に進む。そして、ステップＳ２において、メモリ５からアプリケーションリスト（図２参照）の読み出しが行われる。その後、ステップＳ３に進む。
【００４３】
そして、ステップＳ３において、アプリケーションリストのうちに、ＡＩＴに対応するアプリケーションソフトと同じアプリケーションＩＤのアプリケーションソフトの情報があるか否かが判断される。同じアプリケーションＩＤのアプリケーションソフトの情報がある場合には、ステップＳ４に進み、同じアプリケーションＩＤのアプリケーションソフトの情報がない場合には、ステップＳ５に進む。
【００４４】
そして、ステップＳ４において、同じアプリケーションＩＤのアプリケーションソフトがダウンロード完了済か否かが判断される。ダウンロード完了済である場合には、テレビジョン装置１００におけるダウンロードおよび通知表示処理は終了され、ダウンロード完了済でない場合には、ステップＳ６（図８参照）に進む。
【００４５】
また、ステップＳ３において同じアプリケーションＩＤのアプリケーションソフトの情報がない場合に進むステップＳ５において、アプリケーションリストに情報の追加（図３参照）が行われる。その後、ステップＳ６（図８参照）に進む。
【００４６】
そして、図８に示すように、ステップＳ６において、過去の通知表示の回数が、通知回数しきい値未満か否かが判断される。過去の通知表示の回数が通知回数しきい値未満の場合には、ステップＳ７に進み、過去の通知表示の回数が通知回数しきい値以上の場合には、ステップＳ１２に進む。すなわち、ステップＳ３において、同じアプリケーションＩＤのアプリケーションソフトの情報がある場合には、過去に通知表示された回数が読み出されて比較され、ステップＳ５において、新たにアプリケーションリスト（図３参照）に追加されたアプリケーションソフトである場合には、通知表示の回数は０回として比較される。
【００４７】
そして、ステップＳ７において、アプリケーションソフトのダウンロードが行われる。その後、ステップＳ８に進む。ここで、第１実施形態では、ステップＳ８において、アプリケーションソフトの通知表示（図５の符号ＡおよびＣ）が行われる。その後、ステップＳ９に進む。
【００４８】
そして、ステップＳ９において、通知表示の回数が０回か否かが判断される。通知表示の回数が０回である場合には、ステップＳ１３に進み、通知表示の回数が０回でない場合には、ステップＳ１０に進む。
【００４９】
そして、ステップＳ１０において、通知表示の回数に対する起動回数の割合が所定の割合以上か否かが判断される。所定の割合以上である場合には、ステップＳ１４に進み、所定の割合未満である場合には、ステップＳ１１に進む。
【００５０】
そして、ステップＳ１１において、アプリケーションリストの更新が行われる。たとえば、上記した図３に示すアプリケーションリストから、図４に示すアプリケーションリストの更新が行われる。その後、テレビジョン装置１００におけるダウンロードおよび通知表示処理は終了される。
【００５１】
また、ステップＳ６において通知表示の回数が通知回数しきい値以上の場合に進むステップＳ１２において、アプリケーションソフトの過去の起動回数が第１起動回数しきい値未満か否かが判断される。第１起動回数しきい値未満の場合は、テレビジョン装置１００におけるダウンロードおよび通知表示処理は終了され、第１起動回数しきい値以上の場合は、ステップＳ７に進む。
【００５２】
また、ステップＳ９において通知表示の回数が０回の場合に進むステップＳ１３において、通知表示したアプリケーションソフトが新しいアプリケーションソフトであることの表示（図５の符号Ｂ）が行われる。その後、ステップＳ１１に進む。
【００５３】
また、ステップＳ１０において通知表示の回数に対する起動回数の割合が所定の割合以上の場合に進むステップＳ１４において、通知表示したアプリケーションソフトがお気に入りのアプリケーションソフトであることの表示（図５の符号Ｄ）が行われる。その後、ステップＳ１１に進む。
【００５４】
第１実施形態では、以下のような効果を得ることができる。
【００５５】
第１実施形態では、上記のように、ＣＰＵ１を、表示部２にＡＩＴに対応するアプリケーションソフトの通知表示を表示させる制御を行うように構成することによって、ＡＩＴに対応するアプリケーションソフトの存在を、ユーザによる操作を必要としないで、ユーザに視認させることができる。これにより、放送中の番組に対応するアプリケーションソフトをユーザに効果的に活用させることができる。また、ＣＰＵ１を、過去の通知表示の回数に基づいて、新たに受信したＡＩＴに対応したアプリケーションソフトの通知表示を行うか否かを判断するように構成することによって、不要な通知表示を表示部２に表示しないので、不要な通知表示が行われない分、ユーザが視聴中の番組の表示が阻害されることを抑制することができる。
【００５６】
また、第１実施形態では、上記のように、ＣＰＵ１を、受信したＡＩＴに対応したアプリケーションソフトを、インターネット１４を介して、ダウンロードするとともに、アプリケーションソフトをダウンロードした状態で、表示部２にアプリケーションソフトの通知表示を表示する制御を行うように構成する。これにより、新たにアプリケーションソフトがダウンロードされた状態で、アプリケーションソフトの存在を、ユーザに通知することができる。これにより、ユーザはアプリケーションソフトを視認後、すぐにアプリケーションソフトを起動して使用することができるので、この点でも、放送中の番組に対応するアプリケーションソフトをユーザに効果的に活用させることができる。
【００５７】
また、第１実施形態では、上記のように、ＣＰＵ１を、通知表示の回数が通知回数しきい値未満の場合は、新たに受信したＡＩＴに対応するアプリケーションソフトをダウンロードする制御を行うように構成する。ここで、通知表示の回数が少ないアプリケーションソフトは、ユーザにとって必要なアプリケーションソフトであるか否かが定まっていない場合が多い。そこで、本発明では、上記のように、通知表示された回数が通知回数しきい値よりも少ないアプリケーションソフトをダウンロードすることにより、ユーザにとって必要である可能性のあるアプリケーションソフトがダウンロードされないことを抑制することができる。
【００５８】
また、第１実施形態では、上記のように、ＣＰＵ１を、通知表示の回数が通知回数しきい値以上で、かつ、同一のアプリケーションソフトの過去の起動回数が第１起動回数しきい値未満の場合は、新たに受信したＡＩＴに対応するアプリケーションソフトをダウンロードしない制御を行うように構成する。ここで、通知表示の回数が多く、かつ、起動回数が少ないアプリケーションソフトは、一般的にユーザにとって必要ではないアプリケーションソフトである可能性が高いと考えられる。そこで、本発明では、上記のように、ユーザにとって必要ではないアプリケーションソフトがダウンロードされることを抑制するので、不用なアプリケーションソフトがダウンロードされない分、ＣＰＵ１の負荷の増大を抑制することができる。
【００５９】
また、第１実施形態では、上記のように、ＣＰＵ１を、通知表示の回数が０回の場合には、新たに受信したＡＩＴに対応するアプリケーションソフトをダウンロードする制御を行うとともに、アプリケーションソフトが初めてダウンロードされた新しいものであることを示す表示を、通知表示とともに表示部２に表示する制御を行うように構成する。これにより、通知表示されたアプリケーションソフトが新しいアプリケーションソフトであることを、ユーザに視認させることができる。
【００６０】
また、第１実施形態では、上記のように、ＣＰＵ１を、通知表示の回数に対する起動回数の割合が、所定の割合以上である場合は、新たに受信したＡＩＴに対応するアプリケーションソフトがユーザのお気に入りのアプリケーションソフトであることを示す表示を、通知表示とともに表示部２に表示する制御を行うように構成する。これにより、通知表示されたアプリケーションソフトがユーザのお気に入りのアプリケーションソフトであることを、ユーザに視認させることができる。
【００６１】
また、第１実施形態では、上記のように、同一のアプリケーションソフトの過去の通知表示の回数の情報と、同一のアプリケーションソフトのアプリケーションＩＤの情報とを含む、アプリケーションリストを格納するメモリ５をさらに備え、ＣＰＵ１を、放送受信部３が新たにＡＩＴを受信した場合に、アプリケーションリスト（図２および図３参照）に基づいて、新たに受信したＡＩＴに対応したアプリケーションソフトの通知表示を行うか否かを判断する制御を行うように構成する。これにより、アプリケーションリスト（図２および図３参照）を使用することによって、容易に、新たに受信したＡＩＴに対応したアプリケーションソフトの通知をＣＰＵ１により行うか否かを判断することができる。
【００６２】
また、第１実施形態では、上記のように、新たに受信したＡＩＴは、放送中の番組に対応するアプリケーションソフトのアプリケーションＩＤの情報を含み、ＣＰＵ１を、放送受信部３が新たにＡＩＴを受信した場合に、メモリ５のアプリケーションＩＤの情報と放送中の番組に対応するアプリケーションソフトのアプリケーションＩＤの情報との比較に基づいて、同一のアプリケーションソフトの過去の通知表示の回数の情報をメモリ５から読み出すとともに、読み出した通知表示の回数に基づいて、新たに受信したＡＩＴに対応したアプリケーションソフトの通知表示を行うか否かを判断する制御を行うように構成する。これにより、メモリ５のアプリケーションＩＤの情報と放送中の番組に対応するアプリケーションソフトのアプリケーションＩＤの情報とを比較することによって、容易に、メモリ５に格納されている通知表示の回数の情報のうちから、放送中の番組に対応する新たに受信したＡＩＴに対応した同一のアプリケーションソフトの過去の通知表示の回数の情報を読み出すことができる。
【００６３】
（第２実施形態）
次に、図１、図４、図５および図９を参照して、第２実施形態によるテレビジョン装置１０１の構成ついて説明する。第２実施形態では、アプリケーションソフトの通知表示の回数に対する起動回数の割合に基づいて、お気に入りのアプリケーションソフトであることを示す表示を、表示部２に表示する制御を行うように構成されている第１実施形態によるテレビジョン装置１００とは異なり、起動回数が第２起動回数しきい値（お気に入り表示起動回数）以上である場合に、お気に入りのアプリケーションソフトであることを示す表示を、表示部２に表示する制御を行うように構成されている。
【００６４】
図１に示すように、第２実施形態によるテレビジョン装置１０１は、ＣＰＵ１ａを含む。
【００６５】
ここで、第２実施形態では、図４および図５に示すように、ＣＰＵ１ａは、起動回数が第２起動回数しきい値以上である場合は、新たに受信したＡＩＴに対応するアプリケーションソフトをダウンロードする制御を行うとともに、アプリケーションソフトがユーザのお気に入りのアプリケーションソフトであることを示す表示を、通知表示とともに表示部２に表示する制御を行うように構成されている。
【００６６】
たとえば、第２起動回数しきい値が２回として設定されている場合で、かつ、上記したアプリケーションリスト（図４参照）におけるアプリケーションＩＤ「０２５」のアプリケーションソフトの過去の起動回数が２０回である場合には、図５に示すように、ＣＰＵ１ａは、アプリケーションＩＤ「０２５」のアプリケーションソフトの通知表示（図５の符号Ｃ）を表示部２に表示するとともに、ユーザのお気に入りのアプリケーションソフトであることを示す表示（図５の符号Ｄ）を表示する制御を行うように構成されている。
【００６７】
また、第２実施形態では、図９に示すように、ＣＰＵ１ａは、ユーザの操作に基づいて、通知回数しきい値と、第２起動回数しきい値（お気に入り表示起動回数）とを設定するように構成されている。たとえば、ＣＰＵ１ａは、ＯＳＤ部９を介して、表示部２に、通知回数しきい値およびお気に入り表示を設定する設定画面（図９参照）を表示するように構成されている。そして、ＣＰＵ１ａは、設定画面に基づいたユーザのリモコン１３の操作信号を取得する。そして、ＣＰＵ１ａは、取得した操作信号に基づいて、通知回数しきい値の設定と、第２起動回数しきい値（お気に入り表示起動回数）の設定とを行うように構成されている。また、第２実施形態によるテレビジョン装置１０１のその他の構成は、第１実施形態におけるテレビジョン装置１００と同様である。
【００６８】
次に、図６および図１０を参照して、第２実施形態によるテレビジョン装置１０１のアプリケーションソフトのダウンロードおよびアップロード制御処理フローについて説明する。テレビジョン装置１０１における処理は、ＣＰＵ１ａにより行われる。
【００６９】
まず、図６および図１０に示すように、ステップＳ１〜ステップＳ９は、第１実施形態によるテレビジョン装置１００のアプリケーションソフトのダウンロードおよびアップロード制御処理におけるステップＳ１〜ステップＳ９と同様の処理（図６参照）が行われる。そして、第２実施形態では、ステップＳ９の処理を実行した後、ステップＳ１０１に進む。
【００７０】
ここで、第２実施形態では、ステップＳ１０１において、受信したＡＩＴに対応するアプリケーションソフトと同一のアプリケーションソフトの過去の起動回数が第２起動しきい値以上か否かが判断される。過去の起動回数が第２起動しきい値以上の場合には、ステップＳ１４に進み、過去の起動回数が第２起動しきい値未満の場合には、ステップＳ１１に進む。
【００７１】
また、図１０に示すように、ステップＳ１１〜ステップＳ１４は、第１実施形態によるテレビジョン装置１００のアプリケーションソフトのダウンロードおよびアップロード制御処理におけるステップＳ１１〜ステップＳ１４と同様の処理（図７参照）が行われる。ステップＳ４、ステップＳ１１、ステップＳ１３およびステップＳ１４の処理を実行した後、テレビジョン装置１０１におけるダウンロードおよび通知表示処理は終了される。
【００７２】
第２実施形態では、以下のような効果を得ることができる。
【００７３】
第２実施形態では、上記のように、ＣＰＵ１ａを、起動回数が第２起動回数しきい値以上である場合は、新たに受信したＡＩＴに対応するアプリケーションソフトをダウンロードする制御を行うとともに、アプリケーションソフトがユーザのお気に入りのアプリケーションソフトであることを示す表示（図５の符号Ｄ）を、通知表示（図５の符号Ｃ）とともに表示部２に表示する制御を行うように構成する。これにより、通知表示されたアプリケーションソフトがユーザのお気に入りのアプリケーションソフトであることを、より確実に、ユーザが視認することができる。また、第２実施形態によるテレビジョン装置１０１のその他の効果は、第１実施形態におけるテレビジョン装置１００と同様である。
【００７４】
（第３実施形態）
次に、図１、図２を参照して、第３実施形態によるテレビジョン装置１０２の構成ついて説明する。第３実施形態では、放送受信部が新たにＡＩＴを受信した後に、ＡＩＴに含まれるアプリケーションＩＤと、メモリに含まれるアプリケーションソフトのアプリケーションＩＤとの比較に基づいて、ＡＩＴに含まれるアプリケーションソフトと同一のアプリケーションソフトがアプリケーションリストにあるか否かを判断するように構成されている第１実施形態によるテレビジョン装置１００と異なり、ＡＩＴに含まれるタイトル情報と、メモリに含まれるアプリケーションソフトのタイトル情報との比較に基づいて、ＡＩＴに含まれるアプリケーションソフトと同種のアプリケーションソフトがあるか否かを判断するように構成されている。
【００７５】
図１に示すように、第３実施形態によるテレビジョン装置１０２は、ＣＰＵ１ｂを含む。
【００７６】
そして、図２に示すように、メモリ５には、アプリケーションリストが格納されており、放送受信部３が新たにＡＩＴを受信した後に、アプリケーション情報信号処理部１１にＡＩＴが伝送された後、ＣＰＵ１ｂは、メモリ５からアプリケーションリスト（図２参照）を読み出すとともに、アプリケーションリストに含まれるタイトル情報のうちからＡＩＴに含まれるタイトル情報と同種のアプリケーションソフトがアプリケーションリストにあるか否かを判断するように構成されている。
【００７７】
たとえば、新たに受信したＡＩＴに、放送中の番組「ＣＣＣ」に対応するアプリケーションソフトの情報である、タイトル「ＣＣＣ天気予報」のアプリケーションソフトの情報が含まれる場合で、かつ、メモリ５から読み出されたアプリケーションリスト（図２参照）に含まれるタイトルが「ＡＡＡタイマー」、「ＡＡＡ天気予報」、「ＡＡＡ動画」、「ＢＢＢ占い」の場合には、ＣＰＵ１は、ＡＩＴに含まれるタイトル「ＣＣＣ天気予報」のアプリケーションソフトと、アプリケーションリストに含まれるタイトル「ＡＡＡ天気予報」のアプリケーションソフトが同種であると判断する。すなわち、ＣＰＵ１ｂは、タイトル情報の類似性（たとえば、文字を比較して過半数以上同じ文字を使用されている場合に同種とする等）を判断するように構成されている。
【００７８】
そして、ＣＰＵ１ｂが、アプリケーションリストに、ＡＩＴのタイトル情報と同種のアプリケーションソフトがないと判断した場合、または、同種のアプリケーションソフトの過去の通知表示の回数が通知回数しきい値未満、または、同種のアプリケーションソフトの過去の起動回数が第１起動回数しきい値以上の場合には、ＡＩＴに対応するアプリケーションソフトをダウンロードするように構成されている。たとえば、図２に示すように、ＣＰＵ１ｂは、ＡＩＴに対応するタイトル「ＣＣＣ天気予報」のアプリケーションソフトと同種のアプリケーションソフトであるタイトル「ＡＡＡ天気予報」のアプリケーションソフトの過去の通知表示の回数および過去の起動回数に基づいて、ダウンロードするか否かを判断するように構成されている。なお、過去の通知表示の回数と通知回数しきい値との比較、および、過去の起動回数と第１起動回数しきい値との比較の方法は、第１実施形態によるテレビジョン装置１００と同様の方法により行われる。
【００７９】
また、ＣＰＵ１ｂは、同種のアプリケーションソフトの過去の通知表示の回数が通知しきい値以上で、かつ、同種のアプリケーションソフトの過去の起動回数が第１起動しきい値未満の場合には、ＡＩＴに対応するアプリケーションソフトをダウンロードしないように構成されている。
【００８０】
また、ＣＰＵ１ｂは、同種のアプリケーションソフトの過去の通知表示の回数、および同種のアプリケーションソフトの過去の起動回数に基づいて、ＡＩＴに対応するアプリケーションソフトの通知表示を行うか否かを判断する制御を行うように構成されている。また、第３実施形態によるテレビジョン装置１０２のその他の構成は、第１実施形態におけるテレビジョン装置１００と同様である。
【００８１】
次に、図７、図８および図１１を参照して、第３実施形態によるテレビジョン装置１０２のアプリケーションソフトのダウンロードおよび通知表示処理フローについて説明する。テレビジョン装置１０２における処理は、ＣＰＵ１ｂにより行われる。
【００８２】
まず、図１１に示すように、ステップＳ１およびステップＳ２は、第１実施形態のアプリケーションソフトのダウンロードおよび通知表示処理におけるステップＳ１およびステップＳ２と同様の処理（図７参照）が行われる。そして、第３実施形態では、ステップＳ２の後に進むステップＳ２０１において、アプリケーションリストに、受信したＡＩＴに含まれる情報のアプリケーションソフトと同種のアプリケーションソフトがあるか否かが判断される。同種のアプリケーションソフトがある場合は、ステップＳ４に進み、同種のアプリケーションソフトがない場合には、ステップＳ５に進む。
【００８３】
また、ステップＳ４〜ステップＳ１４は、第１実施形態のアプリケーションソフトのダウンロードおよび通知表示処理におけるステップＳ４〜ステップＳ１４と同様の処理（図７および図８参照）が行われる。
【００８４】
第３実施形態では、以下のような効果を得ることができる。
【００８５】
第３実施形態では、上記のように、ＣＰＵ１ｂを、通知表示の回数が通知回数しきい値以上で、かつ、同種のアプリケーションソフトの過去の起動回数が第１起動回数しきい値未満の場合は、新たに受信したＡＩＴに対応するアプリケーションソフトをダウンロードしない制御を行うように構成する。ここで、通知表示の回数が多く、かつ、起動回数が少ないアプリケーションソフトは、一般的にユーザにとって必要ではないアプリケーションソフトであると考えられる。そこで、上記のようにＣＰＵ１ｂを構成することによって、ユーザにとって必要ではないアプリケーションソフトがダウンロードされることを抑制するので、不用なアプリケーションソフトがダウンロードされない分、ＣＰＵ１ｂの負荷の増大を抑制することができる。
【００８６】
また、第３実施形態では、上記のように、新たに受信したＡＩＴは、放送中の番組に対応するアプリケーションソフトのタイトル情報を含み、ＣＰＵ１ｂを、放送受信部３が新たにＡＩＴを受信した場合に、メモリ５のタイトル情報と放送中の番組に対応するアプリケーションソフトのタイトル情報との比較に基づいて、同種のアプリケーションソフトの過去の通知表示の回数の情報をメモリ５から読み出すとともに、読み出した通知表示の回数に基づいて、新たに受信したＡＩＴに対応したアプリケーションソフトの通知表示を行うか否かを判断する制御を行うように構成する。これにより、メモリ５のタイトル情報と放送中の番組に対応するアプリケーションソフトのタイトル情報とを比較することによって、容易に、メモリ５に格納されている通知表示の回数の情報のうちから、放送中の番組に対応する新たに受信したＡＩＴに対応した同種のアプリケーションソフトの過去の通知表示の回数の情報を読み出すことができる。また、同一のアプリケーションソフトの過去の通知表示の回数が記憶されていない場合でも、同種のアプリケーションソフトの過去の通知表示の回数に基づいて、同種のアプリケーションソフトの通知表示を表示部２に表示するか否かを容易にＣＰＵ１ｂにより判断することができる。また、第３実施形態によるテレビジョン装置１０２のその他の効果は、第１実施形態におけるテレビジョン装置１００と同様である。
【００８７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８８】
たとえば、上記第１〜第３実施形態では、第１識別情報として、アプリケーションＩＤおよびタイトル情報を用いる例を示したが、本発明はこれに限られない。本発明は、第１識別情報として、アプリケーションＩＤおよびタイトル情報以外の情報を用いてもよい。たとえば、ＵＲＬ情報を用いてもよい。
【００８９】
また、上記第１〜第３実施形態では、アプリケーションソフトの通知表示として、表示部に図（図５の符号Ａおよび符号Ｃ）を表示する例を示したが、本発明はこれに限られない。本発明は、アプリケーションソフトの通知表示として図以外を表示してもよい。たとえば、表示部にメッセージ（文字）を表示するように構成してもよい。
【００９０】
また、上記第１〜第３実施形態では、新しいアプリケーションソフトであることを示す表示、および、お気に入りのアプリケーションソフトであることを示す表示として、通知表示（図５の符号Ｂおよび符号Ｄ）を表示部に表示する例を示したが、本発明はこれに限られない。たとえば、通知表示されるアプリケーションソフトが、新しいまたはお気に入りである場合に、アプリケーションソフトの通知表示（図５の符号Ａおよび符号Ｃ）を、通常よりも拡大して表示部に表示してもよいし、通常よりも画面中央側の位置に表示するように構成してもよい。
【００９１】
また、上記第１〜第３実施形態を、別々の構成例として説明したが、本発明はこれに限られない。本発明は、第１〜第３実施形態を、それぞれ互いに組み合わせて構成してもよい。たとえば、第１実施形態と第３実施形態とを組み合わせて、新たに受信したアプリケーション情報に対応する同一のアプリケーションソフトを、アプリケーションＩＤを用いて、アプリケーションリストにあるか否かを判断した後に、同一のアプリケーションソフトがない場合に、新たに受信したアプリケーション情報に対応する同種のアプリケーションソフトを、タイトル情報を用いて、アプリケーションリストにあるか否かを判断するように構成してもよい。
【００９２】
また、上記第１〜第３実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００９３】
１、１ａ、１ｂ  ＣＰＵ（制御部）
２  表示部
３  放送受信部（受信部）
５  メモリ（記憶部）
１４  インターネット（ネットワーク）
１００、１０１、１０２  テレビジョン装置
【図１】
2015139035.tif 000003
【図２】
2015139035.tif 000004
【図３】
2015139035.tif 000005
【図４】
2015139035.tif 000006
【図５】
2015139035.tif 000007
【図６】
2015139035.tif 000008
【図７】
2015139035.tif 000009
【図８】
2015139035.tif 000010
【図９】
2015139035.tif 000011
【図１０】
2015139035.tif 000012
【図１１】
2015139035.tif 000013